(57)【要約】【課題】プラズマディスプレイ装置において信号処理回路からデータ駆動回路に至るデータ伝送線を流れる画像信号の周波数が高く、データ伝送線がアンテナとなり、これによる電磁波妨害があった。【解決手段】画像信号を上下方向の差の信号のみに変換してデータ駆動回路へ伝送することにより，データ駆動回路内でわずかな付加回路でもって、元の画像信号に復元する。これにより、データ伝送線の実質周波数を大幅に低減して電磁波妨害を防ぐ。【選択図】図１
2005301029.tif 000002
【特許請求の範囲】
【請求項１】
画像信号を画面上下方向の差分情報に変換するデータ変換部と、前記差分情報をデータ入力としクロック信号にて時間間隔を決定するシフトレジスタ部と、前記シフトレジスタ部の出力を水平走査期間保つラッチ部と、前記ラッチ部の出力により画像情報を再現するデコード回路部と、前記デコード回路部の出力によって出力電圧を選択する出力部からなることを特徴とするプラズマディスプレイ装置のデータ駆動回路。
【請求項２】
前記デコード回路部がＤタイプフリップフロップからなることを特徴とする、
請求項１に記載のプラズマディスプレイ装置のデータ駆動回路。
【請求項３】
画像信号を画面上下方向の差分情報に変換するステップと、前記差分情報を時間軸に沿って取り込むステップと、この出力を水平走査期間保持するステップと、保持されたデータを元の画像信号に再現するステップと、画像信号を出力するステップからなることを特徴とするプラズマディスプレイ装置のデータ駆動方法。
【請求項４】
同一サブフィールド内で前記差分情報の相関が強くなるよう空間的階調表現を行う画像信号を発生するステップを加えることを特徴とする、
請求項３に記載のプラズマディスプレイ装置のデータ駆動方法。
【請求項５】
同一サブフィールドでは上下２ドットのペアで階調を固定し、その水平方向隣では前記ペアと垂直方向で１ドットずれたペアとし、次のフィールドでは水平方向の位置を１ドットずらしたことを特徴とする、
請求項４に記載のデータ駆動方法。
【請求項６】
同一サブフィールド内で上下左右各２ドットで階調を固定し、次のフィールドでは前記上下左右各２ドットの固定パターンを斜め方向に１ドットずらしたことを特徴とする、
請求項４に記載のデータ駆動方法。
【発明の詳細な説明】
【技術分野】
【０００１】
本発明はプラズマディスプレイ装置において、データ駆動回路に印加される画像信号に起因する電磁波妨害を低減するデータ駆動回路およびその駆動方法に関するものである。
【背景技術】
【０００２】
従来のプラズマディスプレイ装置の概略構成を図７に示し、図と共に説明する。図７において、１はプラズマ発光を行うパネル、２はパネル１に２値の画像情報を伝えるデータ駆動回路、３はパネル１の水平走査線情報を伝えるスキャン駆動回路である。そして、４は映像信号から２値のデータ駆動回路用信号を作る信号処理回路であり、階調表示は１フィールド（１／６０秒）を１０程度の発光時間に重み付けを持ったサブフィールドに分けて、時間軸方向に変化させることで行っている。５、６は維持回路であり、発光期間にパルス状電圧を印加し、パネルを放電させる。また、図示はしていないが、放送電波を受信するチューナー、および電源回路がある。パネル内部は本発明の趣旨ではないので説明を省略する。
【０００３】
パネル１に対する画像情報書き込みは、一度パネルを初期化状態にした後、水平走査線をスキャン駆動回路３にて上から順に選択し、その選択された水平走査線に応じた画像情報をデータ駆動回路２にて、発光する／しないの２値の電圧を同時に（線順次）パネルに加えて行っている。
【０００４】
次に、データ駆動回路の詳細を図８に示し、図と共に説明する。図８において、１０はシフトレジスタ、１１はラッチ、１２は出力スイッチであり、これがパネルのドット数相当並んでいる。図８では３個に限定して描いているがこの限りではない。シフトレジスタ１０は２値のシリアル信号であるＤａｔａ信号が入力されると、Ｃｌｏｃｋ信号にて順次、左から右へＤａｔａ信号を移送する。１水平走査期間に移送が終了したならば、ＨＤ信号がアクティブになり、シフトレジスタ１０の出力をラッチ１１に同時に取り込む。すると、ラッチ１１の出力に応じて出力スイッチ１２は直流電圧ＶＨないしＶＬを選択し、パネルへ印加する。その状態で次の水平走査期間のＤａｔａ信号がシフトレジスタ１０に入力されており、移送終了後、新しいＤａｔａ信号をラッチ１１が取り込み、出力スイッチ１２がパネルへ印加する。以上を繰り返してパネルに対して画像を書き込む。
【０００５】
ここで、具体的なＤａｔａ信号、Ｃｌｏｃｋ信号の動作周波数を述べる。サブフィールドに分割する関係上、水平走査期間は１．５μｓ程度であり、横１０２４画素×３（Ｒ、Ｇ、Ｂ）とすれば、原理的にＣｌｏｃｋ信号は１．５／１０２４／３の０．５ｎｓとなり、このままではシフトレジスタ１０は動作できない。そのため、画面を横に８分割して並列化、さらにＤａｔａ信号も４本並列化を行って１６ｎｓ、６０ＭＨｚ程度の動作としている。
【特許文献１】特開２０００−１６３００５号公報
【発明の開示】
【発明が解決しようとする課題】
【０００６】
しかしながら、図７において信号処理回路４からデータ駆動回路２への配線に６０ＭＨｚ帯域のＤａｔａ信号が通過することとなり、この配線長はパネルと同サイズとなるために長く、これがアンテナとなって他機器への妨害電波を出す、いわゆるＥＭＣ（電磁波妨害）問題を引き起こしていた。
【課題を解決するための手段】
【０００７】
前記課題を解決するために、本発明のプラズマディスプレイ装置のデータ駆動回路は、画像信号を画面上下方向の差分情報に変換するデータ変換部と、前記差分情報をデータ入力としクロック信号にて時間間隔を決定するシフトレジスタ部と、前記シフトレジスタ部の出力を水平走査期間保つラッチ部と、前記ラッチ部の出力により画像情報を再現するデコード回路部と、前記デコード回路部の出力によって出力電圧を選択する出力部を有する。
【０００８】
本構成により、画像の上下方向の変化がある場合のみデータ信号が変化するので、実質周波数は大幅に低減する。
【発明の効果】
【０００９】
本発明によれば、データ信号の周波数が大幅に低減するのでＥＭＣ問題を解決することが可能となる。
【発明を実施するための最良の形態】
【００１０】
以下、本発明を実施するための最良の形態について、図面を参照しながら説明する。
【００１１】
（実施の形態１）
図１は本発明におけるデータ駆動部の構成図を示しており、１３はデータ変換部で、入力のＤａｔａ信号と次の走査線のＤａｔａ信号との差の情報を作成する。図８同様、１０はシフトレジスタ、１１はラッチである。次のフリップフロップ１４にて差の情報を元の画像情報に復元する。詳細な中身は後述する。１２は図８同様、出力スイッチである。データ変換部１３は通常、図７の信号処理回路４に含まれる。
【００１２】
元の画像信号を次の走査線、画面で言えば、下の画像との差にしてシフトレジスタ１０へ送る。このため、同じ情報であれば、差のデータの変化はなく、ＤＣ同然となる。むろん、自然画表示には必ず変化は発生するが、人為的な市松パターンでない限り、変化する確率は相当に減少する。
【００１３】
次に、図２を用いてフリップフロップ１４の詳細を説明する。図２（ａ）はＤタイプフリップフロップ構成の例であり、ラッチからの入力はトグル入力Ｔに、Ｄタイプフリップフロップの反転出力Ｑバーはデータ入力Ｄに、正出力Ｑは次段の出力スイッチへと出力される。この真理値表を図２（ｂ）に示す。上段（イ）のように、Ｄが０の状態ではＱ＝１、Ｑバー＝０であるが、トグル入力Ｔが入るとＤ＝０の値がＱへ移り、Ｑバー＝１、つまり下段の（ロ）の状態に遷移する。次に、（ロ）の状態でトグル入力Ｔがあると、Ｄ＝１がＱへ移り、（イ）へ遷移する。トグル入力が無い場合はその状態を保つ。これにより、差分の情報がある場合のみ反転し、無い場合は保つという復元機能が実現できる。このための回路規模は各段につきフリップフロップ１個分の増加となるが、通常のデータ駆動回路（ＩＣ）では出力スイッチの面積が大部分を占めるため、コストアップの要因は小さい。
【００１４】
また、ノイズ等でシフトレジスタの入力が誤った場合などに対処するため、サブフィールドの最初のスキャンの前に、図１のフリップフロップ１４はリセットして同一データから始め、一画面スキャンで完結する動作をさせれば良い。
【００１５】
図３に本発明による波形の一例をあげる。トグル入力Ｔがある場合のみ、正出力Ｑが変化して出力スイッチのＶＨ／ＶＬを選択し、画像をパネルに書き込むのである。
【００１６】
なお、上記ではＤタイプフリップフロップ構成の例を示したが、図２（ｂ）の真理値表を実現するならば、演算デコーダ、トグルフリップフロップなど他の構成でも実現可能である。
【００１７】
次に、プラズマディスプレイ固有の留意しなければいけない課題について述べる。プラズマディスプレイはオン／オフの２値である点から、前述したようにサブフィールドの時間重み付けで階調を出している。しかし、単純な重み付けでは視線が動いた時や、画像が動いた時に見える動画疑似輪郭という問題がある。この問題に対し、表示すべき画像信号と表示画像との差を周辺の画素に拡散することで低減しようとする方法がある。これは特開２０００−１６３００５号公報に記述されている。全く本発明の本質を考慮せずに、このような方法を採用すると、図４に示すように、市松模様が誤差最小となる場合がある。ここで、階調はサブフィールドで表現されることに留意されたい。ある中間階調で細かな階調変化がある場合、下位の階調を表現するサブフィールドにこの現象が現れやすい。
【００１８】
そこで、本発明では図５に示すように、画像で上下の相関が強い、言い換えれば上下でオン／オフの確率を減らしたコーディングが望ましい。単純に水平走査線にそった方向で統一すると垂直解像度の低下が検知されるので、水平方向に１ドットずらし、更にはフィールド毎に図５（ａ）→図５（ｂ）→図５（ｃ）→図５（ｄ）のように１ドットずつ巡回すれば、解像度の低下は検知しにくくなる。
【００１９】
更に、水平方向にも考慮したコーディングを図６に示す。図６（ａ）で示すように、縦２ドットと横２ドットの固まりで差分をとれば、データの変化は市松に比べて１／４に低減する。そして、図６（ｂ）のように、斜め方向にずらすのが効果的である。これは斜め方向の解像度が低いという人間の特性からくるものである。
【００２０】
なお、本発明と同様な動作は、ラインメモリとデコーダをデータ駆動回路の前に設置することでも可能となるが、前述したように、プラズマディスプレイ装置ではデータを並列化しているために回路規模が大きくなり、この点でも本発明の優位性がある。
【産業上の利用可能性】
【００２１】
本発明にかかるプラズマディスプレイ装置のデータ駆動回路およびデータ駆動方法は、画像信号の変化回数を低減せしめ、これに起因するＥＭＣを低減することが可能となり、従来必要としていたシールド構造やフェライトビーズ等の対策部品がなくなり、コストダウンに有用である。
【図面の簡単な説明】
【００２２】
【図１】本発明におけるデータ駆動部の構成図
【図２】（ａ）本発明におけるフリップフロップの内部構成図（ｂ）本発明におけるフリップフロップの真理値表を示す図
【図３】本発明による波形図
【図４】特開２０００−１６３００５号公報による画像のパターン図
【図５】本発明のパターン図
【図６】本発明の別のパターン図
【図７】従来のプラズマディスプレイの構成図
【図８】従来のデータ駆動部の構成図
【符号の説明】
【００２３】
１    パネル
２    データ駆動回路
３    スキャン駆動回路
４    信号処理回路
５，６    維持回路
１０    シフトレジスタ
１１    ラッチ
１２    出力スイッチ
１３    データ変換部
１４    フリップフロップ
【図１】
2005301029.tif 000003
【図２】
2005301029.tif 000004
【図３】
2005301029.tif 000005
【図４】
2005301029.tif 000006
【図５】
2005301029.tif 000007
【図６】
2005301029.tif 000008
【図７】
2005301029.tif 000009
【図８】
2005301029.tif 000010